(57)【要約】      （修正有）【課題】つま先が露出してはいけないドレスコードに違反しない靴として着用でき、つま先が露出するサンダルとしても着用できる靴を提供する。【解決手段】靴は、ソール２と、ソール２の上方側に固定されてソール２と共に足を収容する収容空間３２を画成すると共に、足を収容空間３２に通すための後部開口３２２と、後部開口３２２よりつま先側に位置する前部開口３２１とが形成されている固定アッパー３と、固定アッパー３に装着可能、且つ、固定アッパー３に装着される際に前部開口３２１を覆うように構成されたオプションアッパー４と、固定アッパー３に装着されるオプションアッパー４を固定アッパー３に一時的に固定することができる少なくとも１つの取り付け手段５と、を備えることにより、つま先が露出しない靴、もしくはつま先が露出するサンダルとして使用することができる。【選択図】図３
0003231277.tif 000002
【実用新案登録請求の範囲】
【請求項１】
ソールと、
前記ソールの上方側に固定されて前記ソールと共に足を収容する収容空間を画成すると共に、足を前記収容空間に通すための後部開口と、前記後部開口よりつま先側に位置する前部開口とが形成されている固定アッパーと、
前記固定アッパーに装着可能、且つ、前記固定アッパーに装着される際に前記前部開口を覆うように構成されたオプションアッパーと、
前記固定アッパーもしくは前記ソールに配置される第１の取り付け部及び前記オプションアッパーに配置される第２の取り付け部を有し、前記第２の取り付け部を前記第１の取り付け部に一時的に固定することにより、前記固定アッパーに装着される前記オプションアッパーを前記固定アッパーに一時的に固定することができる少なくとも１つの取り付け手段と、
を備えることを特徴とする靴。
【請求項２】
前記第１の取り付け部はボタンであり、前記第２の取り付け部は前記ボタンに対応するボタンホールであることを特徴とする請求項１に記載の靴。
【請求項３】
前記第１の取り付け部は雌スナップボタンと雄スナップボタンとにおける１つであり、前記第２の取り付け部は前記１つ以外の他の１つであることを特徴とする請求項１に記載の靴。
【請求項４】
前記第１の取り付け部と前記第２の取り付け部とは互いに吸引できるマグネットであることを特徴とする請求項１に記載の靴。
【請求項５】
前記第１の取り付け部と前記第２の取り付け部とは互いに吸着できる面ファスナーであることを特徴とする請求項１に記載の靴。
【請求項６】
前記ソールの先端に前記第１の取り付け部が１つ配置されており、
前記オプションアッパーは、つま先側へ延伸する延伸タブを有し、該延伸タブに前記第２の取り付け部が１つ配置されていることを特徴とする請求項１に記載の靴。
【請求項７】
前記オプションアッパーが前記固定アッパーに装着される際、前記オプションアッパーの外周縁と前記ソールの外周縁との間に隙間が画成されるように構成されていることを特徴とする請求項１に記載の靴。
【考案の詳細な説明】
【技術分野】
【０００１】
本考案は靴に関し、特に、取り外し可能なオプションアッパーを有する靴に関する。
【背景技術】
【０００２】
従来の靴の一例として、図１と図２に示されるように、特許文献１に記載される靴（サンダル）１は、ソール１１と、アッパー１２と、揺動可能にアッパー１２に取り付けられる揺動部１３とを有すると共に、アッパー１２に複数の通気開口１４１が形成されている。
【０００３】
この靴は、図１に示されるように、揺動部１３が後側に揺動するとサンダルとして着用することができ、そして図２に示されるように、揺動部１３が前側に揺動するとスリッパとして着用することができるようになっている。
【先行技術文献】
【特許文献】
【０００４】
【特許文献１】中国実用新案登録第２０９３５９７６４号明細書
【考案の概要】
【考案が解決しようとする課題】
【０００５】
しかし、この靴は通気開口１４１が形成されているため、サンダル及びスリッパして着用することしかできず、ドレスコードによってこのような露出の多い靴はマナー違反とされる場合がある。
【０００６】
従って、本考案は従来より多くのバリエーションを有する靴の提供を目的とする。
【課題を解決するための手段】
【０００７】
上記課題を達成すべく、本考案はソールと、前記ソールの上方側に固定されて前記ソールと共に足を収容する収容空間を画成すると共に、足を前記収容空間に通すための後部開口と、前記後部開口よりつま先側に位置する前部開口とが形成されている固定アッパーと、前記固定アッパーに装着可能、且つ、前記固定アッパーに装着される際に前記前部開口を覆うように構成されたオプションアッパーと、前記固定アッパーもしくは前記ソールに配置される第１の取り付け部及び前記オプションアッパーに配置される第２の取り付け部を有し、前記第２の取り付け部を前記第１の取り付け部に一時的に固定することにより、前記固定アッパーに装着される前記オプションアッパーを前記固定アッパーに一時的に固定することができる少なくとも１つの取り付け手段と、を備えることを特徴とする靴を提供する。
【考案の効果】
【０００８】
上記構成により、本考案の靴は固定アッパーに装着される際に前部開口を覆うように構成されたオプションアッパーを備えているので、オプションアッパーを固定アッパーに装着して前部開口を覆うことにより、例えばつま先が露出してはいけないドレスコードに違反しない靴として着用することができ、そしてオプションアッパーを固定アッパーから取り外すことにより、つま先が露出するサンダルとしても着用することもできる。
【図面の簡単な説明】
【０００９】
【図１】従来の靴の一例の構成が示される側面図である。
【図２】従来の靴の一例の他の使用状態が示される側面図である。
【図３】本考案の靴の第１の実施形態の構成が示される分解斜視図である。
【図４】本考案の靴の第１の実施形態の他の使用状態が示される斜視図である。
【図５】本考案の靴の第１の実施形態の変化例の構成が示される分解斜視図である。
【図６】本考案の靴の第２の実施形態の構成が示される分解斜視図である。
【図７】本考案の靴の第３の実施形態の構成が示される分解斜視図である。
【図８】本考案の靴の第４の実施形態の構成が示される分解斜視図である。
【図９】本考案の靴の第５の実施形態の構成が示される分解斜視図である。
【図１０】本考案の靴の第６の実施形態の構成が示される分解斜視図である。
【図１１】本考案の靴の第７の実施形態の構成が示される分解斜視図である。
【考案を実施するための形態】
【００１０】
本考案を詳細に説明する前に、以下の説明において、同じ機能を発揮し且つ似たような構造を持つ部品は同様の番号で表示することを理解されたい。
【００１１】
図３と図４に本考案の第１の実施形態が示されている。
【００１２】
図示のように、本考案の第１の実施形態の靴は、ソール２と、固定アッパー３と、オプションアッパー４と、取り付け手段５と、を備えている。
【００１３】
固定アッパー３は、ソール２の上方側に固定されてソール２と共に足を収容する収容空間３２を画成すると共に、足を収容空間３２に通すための後部開口３２２と、後部開口３２２よりつま先側に位置する前部開口３２１とが形成されている。また、この実施形態において、固定アッパー３は前部開口３２１に隣接する前部サポータ３１と、後部開口３２２が形成される後部サポータ３３とを有し、そして後部サポータ３３には後側へ延伸して足の踵部分を保持するサポータベルト３３１が形成されている構成になっている。しかし、本考案としての固定アッパー３の構成はこれに限定されず、例えば、図５に示されるように、前側に向かって開口する前部開口３２１と、後側に向かって開口し、且つ、足を収容空間３２に通すための後部開口３２２とを有する１枚の部材として構成することも可能である。即ち、足を収容空間３２に通すための後部開口３２２と、後部開口３２２よりつま先側に位置する前部開口３２１とが形成されている構成であれば、本考案としての固定アッパー３として用いることが可能である。
【００１４】
オプションアッパー４は、固定アッパー３に装着可能、且つ、固定アッパー３に装着される際に前部開口３２１を覆うように構成されている。この実施形態においては、足のつま先から甲にかけた外郭形状に合わせて流線型の輪郭を有するように形成されている。
【００１５】
取り付け手段５については、この実施形態において、固定アッパー３の後部サポータ３３に配置される１対の第１の取り付け部５１と、該１対の第１の取り付け部５１に対応してオプションアッパー４に配置される１対の第２の取り付け部５２とを有している。そしてこの実施形態において、１対の第１の取り付け部５１はいずれも後部サポータ３３から外側へ突起するボタンであり、１対の第２の取り付け部５２はいずれもオプションアッパー４に形成されるボタンホールである。図４に示されるように、１対の第１の取り付け部５１を１対の第２の取り付け部５２にそれぞれ嵌め込むようにオプションアッパー４を固定アッパー３の後部サポータ３３に装着することにより、オプションアッパー４を固定アッパー３に一時的に固定することができる。
【００１６】
また、図４に示されるように、この実施形態において、オプションアッパー４とソール２の形状は、オプションアッパー４が固定アッパー３に装着される際、オプションアッパー４の外周縁とソール２の外周縁との間に隙間４１が画成されるように構成されている。この構成により、つま先が露出しない状態においても、収容空間３２の通気性を維持して快適な履き心地を提供することができる。
【００１７】
このように、本考案の靴は、オプションアッパー４を固定アッパー３に装着、もしくは固定アッパー３から取り外すことにより、つま先が露出しない靴、もしくはつま先が露出するサンダルとして使用することができる。
【００１８】
図６に本考案の第２の実施形態が示されている。図示のように、本考案の第２の実施形態の第１の実施形態と異なる点は、取り付け手段５は２対の第１の取り付け部５１と、該２対の第１の取り付け部５１に対応する２対の第２の取り付け部５２とを有するところにある。即ち、この第２の実施形態において、固定アッパー３は前部開口３２１に隣接する前部サポータ３１と、後部開口３２２が形成される後部サポータ３３とを有し、前部サポータ３１に１対の第１の取り付け部５１としてのボタンが配置され、後部サポータ３３にも１対の第１の取り付け部５１としてのボタンが配置されている。そしてオプションアッパー４には該２対の第１の取り付け部５１に対応する２対の第２の取り付け部５２としてのボタンホールが配置されている。
【００１９】
このように、本考案の靴の第２の実施形態は、２対の第１の取り付け部５１と２対の第２の取り付け部５２とを有するので、オプションアッパー４が固定アッパー３に装着される際における安定性を向上する効果が得られる。
【００２０】
図７に本考案の第３の実施形態が示されている。図示のように、本考案の第３の実施形態の第１の実施形態と異なる点は、ソール２の先端に第１の取り付け部５１としての突起ボタンが１つ配置され、そしてオプションアッパー４は、つま先側へ延伸する延伸タブ４２を有し、該延伸タブ４２に第２の取り付け部５２としてのボタンホールが１つ配置されるところにある。即ち、この第３の実施形態において、取り付け手段５は後部サポータ３３から外側へ突起する１対の第１の取り付け部５１と、オプションアッパー４に形成される１対の第２の取り付け部５２との他に、ソール２の先端とアッパー４の延伸タブ４２とにもそれぞれ第１の取り付け部５１と第２の取り付け部５２とを更に設けることにより、オプションアッパー４が固定アッパー３に装着される際における安定性を向上する効果が得られる。
【００２１】
無論、本考案の靴として、オプションアッパー４に複数の延伸タブ４２を形成し、各延伸タブ４２にそれぞれ１つの第２の取り付け部５２に配置し、そして各第２の取り付け部５２にそれぞれ対応する第１の取り付け部５１をソール２に配置するように構成することも可能である。
【００２２】
図８に本考案の第４の実施形態が示されている。図示のように、本考案の第４の実施形態の第１の実施形態と異なる点は、第１の取り付け部５１としては雄スナップボタンが採用され、そして第２の取り付け部５２としては雌スナップボタンが採用されるところにある。
【００２３】
このように、本考案に用いられる第１の取り付け部５１と第２の取り付け部５２とに関しては、ボタン／ボタンホールの他に、雄スナップボタンと雌スナップボタンとの組み合わせも用いられることができる。無論、雌スナップボタンを第１の取り付け部５１として採用し、雄スナップボタンを第２の取り付け部５２として採用する構成も可能である。
【００２４】
図９に本考案の第５の実施形態が示されている。図示のように、本考案の第５の実施形態の第１の実施形態と異なる点は、この実施形態における第１の取り付け部５１と第２の取り付け部５２とは互いに吸引できるマグネットが採用されているところにある。
【００２５】
このように、本考案に用いられる第１の取り付け部５１と第２の取り付け部５２とに関しては、ボタン／ボタンホールや雄スナップボタンと雌スナップボタンとの組み合わせの他に、互いに吸引できるマグネットを採用する構成も可能である。
【００２６】
図１０に本考案の第６の実施形態が示されている。図示のように、本考案の第６の実施形態の第１の実施形態と異なる点は、この実施形態において、第１の取り付け部５１と第２の取り付け部５２とは互いに吸着できる面ファスナーが採用されているところにある。即ち、この実施形態において、固定アッパー３の後部サポータ３３の上面に面ファスナーのループ面５１ａが配置され、オプションアッパー４の裏面の該面ファスナーのループ面に向かい合う箇所に、面ファスナーのフック面５２ａが配置されている。
【００２７】
このように、本考案に用いられる第１の取り付け部５１と第２の取り付け部５２とに関しては、互いに吸着できる面ファスナーを採用する構成も可能である。
【００２８】
図１１に本考案の第７の実施形態が示されている。図示のように、本考案の第７の実施形態の第６の実施形態と異なる点は、この実施形態において、固定アッパー３の前部サポータ３１の上面にも面ファスナーのループ面５１ａが配置され、オプションアッパー４の裏面に前部サポータ３１の上面にあるループ面５１ａと後部サポータ３３の上面にあるループ面５１ａの両方にそれぞれ向かい合う箇所に、面ファスナーのフック面５２ａがそれぞれ配置されているところにある。
【００２９】
勿論、固定アッパー３側にフック面を配置してオプションアッパー４側に対応のループ面を配置する構成を採用することも可能である。
【００３０】
このように、面ファスナーを複数配置することにより、オプションアッパー４が固定アッパー３に装着される際における安定性を向上する効果が得られる。
【００３１】
以上、本考案の具体例を詳細に説明したが、これは例示に過ぎず、実用新案登録請求の範囲を限定するものではない。実用新案登録請求の範囲には、以上に例示した具体例を変形、変更したものが含まれる。
【符号の説明】
【００３２】
２      ソール
３      固定アッパー
３１    前部サポータ
３２    収容空間
３２１  前部開口
３２２  後部開口
３３    後部サポータ
３３１  サポータベルト
４      オプションアッパー
４１    隙間
４２    延伸タブ
５      取り付け手段
５１    第１の取り付け部
５１ａ  ループ面
５２    第２の取り付け部
５２ａ  フック面
【図１】
0003231277.tif 000003
【図２】
0003231277.tif 000004
【図３】
0003231277.tif 000005
【図４】
0003231277.tif 000006
【図５】
0003231277.tif 000007
【図６】
0003231277.tif 000008
【図７】
0003231277.tif 000009
【図８】
0003231277.tif 000010
【図９】
0003231277.tif 000011
【図１０】
0003231277.tif 000012
【図１１】
0003231277.tif 000013